(57)【特許請求の範囲】
【請求項１】
旋転送風機能を有する医療器械消毒乾燥設備であって、本体と前記本体の中に位置する作動空間とを含み、前記作動空間の中には収集装置が固定的に設置され、前記収集装置は乾燥消毒後の医療器械を収集でき、前記作動空間の中には器械入装置が設置され、前記作動空間の中には器械入穴が設置され、前記作動空間は前記器械入穴により外部と連通し、前記作動空間の中には伝送装置が設置され、前記伝送装置により乾燥消毒需要のある医療器械を前記作動空間の内部で移動させることができ、前記作動空間の中には消毒装置が設置され、前記消毒装置は消毒液を霧化してから医療器械にスプレーして消毒することができ、前記作動空間の中には洗浄装置が固定的に設置され、前記洗浄装置により医療器械を十分に洗浄でき、前記作動空間の中には作動箱が固定的に設置され、前記作動箱の中には清掃空間が設置され、前記作動箱には第一貫穴が設置され、前記第一貫穴は円形となり、前記作動空間の中には風乾箱が固定的に設置され、前記風乾箱の中には風乾空間が設置され、前記風乾箱には矩形穴が設置され、前記矩形穴が円形貫穴であり、前記風乾箱には通風穴が設置され、前記通風穴が環状となり、前記通風穴が上下対称に配置され、前記風乾空間の内部の頂壁には風乾モータが固定的に設置され、前記風乾モータには風乾回転軸が回転可能に設置され、前記風乾回転軸にはファンが固定的に設置され、前記ファンが円柱方向に沿って対称に四つ配列され、前記風乾モータが起動すると、前記ファンが回転することで、医療器械に残留している消毒液を吹き乾くことや医療器械の表面にある付着物を吹き払うことができ、乾燥消毒後の医療器械は前記輸送ベルトにより前記収集装置の中に送られ、
前記器械入装置は前記作動空間の中に位置する輸送モータを含み、前記輸送モータには主動回転軸が回転可能に設置され、前記器械入装置の中には第一伝動軸が回転可能に設置され、前記第一伝動軸が前記作動空間の前後壁に回転可能に連結され、前記主動回転軸と前記第一伝動軸とが伝動ベルトにより回転可能に連結され、
前記伝送装置は前記作動空間の中に位置する第二伝動軸を含み、前記第二伝動軸が前記作動空間の前後壁に回転可能に連結され、前記第二伝動軸と前記主動回転軸とが輸送ベルトにより回転可能に連結され、前記輸送ベルトには乾燥機が固定され、前記乾燥機は前記輸送ベルトにある医療器械を乾燥でき、
前記消毒装置は前記作動空間の中に位置する消毒箱を含み、前記消毒箱の中には消毒空間が設置され、前記消毒箱の中には第二貫穴が設置され、前記第二貫穴が円形となり、前記消毒空間の内部の頂壁には固定リンクが固定的に設置され、前記固定リンクには霧化器が固定的に設置され、前記霧化器の下端面にはノズルが固定的に設置され、前記ノズルが対称に百個設置され、前記霧化器は消毒液を霧化した後、前記ノズルにより霧化後の消毒液を噴出させ、
前記作動空間の中には消毒液箱が固定的に設置され、前記消毒液箱の中には消毒液空間が設置され、前記消毒液空間の中には消毒液が設置され、前記消毒液箱には補充穴が設置され、前記補充穴が上下貫通となり、前記補充穴と前記消毒液空間とが連通しており、前記補充穴により前記消毒液空間の中の消毒液を補充でき、前記消毒液空間と前記霧化器とが水ポンプにより連通され、前記水ポンプは前記消毒液空間の中の消毒液を前記霧化器の中に汲み上げることができ、
前記洗浄装置の中には前記作動空間の頂壁に位置する第一固定板が固定的に設置され、前記第一固定板の下端面には電磁石が固定的に設置され、前記洗浄装置の中には第二固定板が設置され、前記第二固定板と前記第一固定板とがばねにより連結され、前記ばねが左右対称に設置され、前記第二固定板の中には磁石が固定的に設置され、前記第二固定板の下端面には旋転モータが固定的に設置され、前記旋転モータの下端面には旋転軸が回転可能に設置され、前記旋転軸の下端面には洗浄板が固定的に設置され、前記洗浄板の中には紫外線消毒器が固定的に設置され、前記洗浄板の下端面には洗浄ブラシが固定的に設置され、前記洗浄ブラシが対称に百個設置され、前記旋転モータが起動すると、前記洗浄板が連動して回転し、前記洗浄ブラシが回転して医療器械を洗浄し、
洗浄需要のある医療器械が前記清掃空間の中に入った時、前記電磁石が停電し、磁極が変わり、前記電磁石が前記磁石と反発し、前記第二固定板が下方へ適当な位置まで移動し、
前記収集装置は前記作動空間の中に位置する収集箱を含み、前記収集箱の中には収集空間が設置され、前記収集空間が上方へ開口しており、前記収集空間の内壁にはスポンジパットが固定的に設置され、前記スポンジパットは乾燥後の医療器械が前記収集空間の中に入るときに衝突を起こすことを防止でき、
前記輸送ベルトは前記第二貫穴と、前記第一貫穴と前記矩形穴を通って前記消毒箱と前記作動箱と前記風乾箱とを貫通し、
洗浄需要の医療器械を前記器械入穴から前記作動空間の中に入れ、
前記輸送モータが起動して前記主動回転軸の回転を連動させ、前記主動回転軸が回転して前記伝動ベルトにより前記第一伝動軸を回転連動させ、前記伝動ベルトが前記作動空間の中の医療器械を前記伝送装置に送り、
前記主動回転軸が回転して前記第二伝動軸により前記輸送ベルトを回転連動させ、前記輸送ベルトが回転して医療器械を前記作動空間の中で移動させ、
前記水ポンプが起動して前記消毒液空間の中の消毒液を前記霧化器の中に組み上げ、前記霧化器が起動して消毒液を霧化させて前記ノズルから噴出させ、医療器械を消毒し、
医療器械が前記清掃空間の中に送られた時、前記輸送モータが停止し、前記電磁石が通電し、前記電磁石の磁極が変わり、前記第二固定板が適当な位置まで移動し、
前記旋転モータが起動して前記旋転軸を回転連動させ、前記旋転軸が回転して前記洗浄板を回転連動させ、前記洗浄板が回転して前記洗浄ブラシを回転させ、前記清掃空間の中の医療器械を洗浄し、前記紫外線消毒器が起動して前記清掃空間の中の医療器械を紫外線で消毒し、
前記輸送モータが起動して前記輸送ベルトにある医療器械を前記作動空間の中で移動させ、前記乾燥機が起動して前記輸送ベルトにある医療器械を乾燥し、
医療器械が前記風乾空間の中に入った時、前記風乾モータが起動して前記風乾回転軸を回転連動させ、前記風乾回転軸が回転して前記ファンを回転させ、医療器械に残留している消毒液と雑物を除き、
消毒後の医療器械が前記収集空間の中に送られ収集されることを特徴とする旋転送風機能を有する医療器械消毒乾燥設備。
【発明の詳細な説明】
【技術分野】
【０００１】
本願発明は医療器械技術分野に関し、具体的には旋転送風機能を有する医療器械消毒乾燥設備に関する。
【背景技術】
【０００２】
医療器械は、人もしくは動物の疾病の診断、治療もしくは予防に使用され、または人もしくは動物の身体の構造もしくは機能に影響を及ぼすことが目的とされている機械器具等（医療用品、歯科材料、衛生用品など）である。現有の洗浄装置は、ただ漬けることで洗浄を行い、洗浄液中の雑物や汚染物が多いと洗浄消毒効果が悪く、効率も低い。医療器械の表面にある付着物も取り除きにくい一方、洗浄後の医療器械表面には多少消毒液が残留しており、後続の使用の安全面に影響し、しかも乾燥機能を有しない。上記問題を解決するために本願発明で改善を図る。
【先行技術文献】
【特許文献】
【０００３】
【特許文献１】中国特許出願公開第１０６６２０７５４号明細書
【発明の概要】
【発明が解決しようとする課題】
【０００４】
旋転送風機能を有する医療器械消毒乾燥設備を提供し、上記問題を解決する。
【課題を解決するための手段】
【０００５】
旋転送風機能を有する医療器械消毒乾燥設備であって、旋転送風機能を有する医療器械消毒乾燥設備であって、本体と前記本体の中に位置する作動空間とを含み、前記作動空間の中には収集装置が固定的に設置され、前記収集装置は乾燥消毒後の医療器械を収集でき、前記作動空間の中には器械入装置が設置され、前記作動空間の中には器械入穴が設置され、前記作動空間は前記器械入穴により外部と連通し、前記作動空間の中には伝送装置が設置され、前記伝送装置により乾燥消毒需要のある医療器械を前記作動空間の内部で移動させることができ、前記作動空間の中には消毒装置が設置され、前記消毒装置は消毒液を霧化してから医療器械にスプレーして消毒することができ、前記作動空間の中には洗浄装置が固定的に設置され、前記洗浄装置により医療器械を十分に洗浄でき、前記作動空間の中には作動箱が固定的に設置され、前記作動箱の中には清掃空間が設置され、前記作動箱には第一貫穴が設置され、前記第一貫穴は円形となり、前記作動空間の中には風乾箱が固定的に設置され、前記風乾箱の中には風乾空間が設置され、前記風乾箱には矩形穴が設置され、前記矩形穴が円形貫穴であり、前記風乾箱には通風穴が設置され、前記通風穴が環状となり、前記通風穴が上下対称に配置され、前記風乾空間の内部の頂壁には風乾モータが固定的に設置され、前記風乾モータには風乾回転軸が回転可能に設置され、前記風乾回転軸にはファンが固定的に設置され、前記ファンが円柱方向に沿って対称に四つ配列され、前記風乾モータが起動すると、前記ファンが回転することで、医療器械に残留している消毒液を吹き乾くことや医療器械の表面にある付着物を吹き払うことができ、乾燥消毒後の医療器械は前記輸送ベルトにより前記収集装置の中に送られる。
【０００６】
有益的に、前記器械入装置は前記作動空間の中に位置する輸送モータを含み、前記輸送モータには主動回転軸が回転可能に設置され、前記器械入装置の中には第一伝動軸が回転可能に設置され、前記第一伝動軸が前記作動空間の前後壁に回転可能に連結され、前記主動回転軸と前記第一伝動軸とが伝動ベルトにより回転可能に連結されている。
【０００７】
有益的には、前記伝送装置は前記作動空間の中に位置する第二伝動軸を含み、前記第二伝動軸が前記作動空間の前後壁に回転可能に連結され、前記第二伝動軸と前記主動回転軸とが輸送ベルトにより回転可能に連結され、前記輸送ベルトには乾燥機が固定され、前記乾燥機は前記輸送ベルトにある医療器械を乾燥できる。
【０００８】
有益的には、前記消毒装置は前記作動空間の中に位置する消毒箱を含み、前記消毒箱の中には消毒空間が設置され、前記消毒箱の中には第二貫穴が設置され、前記第二貫穴が円形となり、前記消毒空間の内部の頂壁には固定リンクが固定的に設置され、前記固定リンクには霧化器が固定的に設置され、前記霧化器の下端面にはノズルが固定的に設置され、前記ノズルが対称に百個設置され、前記霧化器は消毒液を霧化した後、前記ノズルにより霧化後の消毒液を噴出させる。
【０００９】
有益的に、前記作動空間の中には消毒液箱が固定的に設置され、前記消毒液箱の中には消毒液空間が設置され、前記消毒液空間の中には消毒液が設置され、前記消毒液箱には補充穴が設置され、前記補充穴が上下貫通となり、前記補充穴と前記消毒液空間とが連通しており、前記補充穴により前記消毒液空間の中の消毒液を補充でき、前記消毒液空間と前記霧化器とが水ポンプにより連通され、前記水ポンプは前記消毒液空間の中の消毒液を前記霧化器の中に汲み上げることができる。
【００１０】
前記洗浄装置の中には前記作動空間の頂壁に位置する第一固定板が固定的に設置され、前記第一固定板の下端面には電磁石が固定的に設置され、前記洗浄装置の中には第二固定板が設置され、前記第二固定板と前記第一固定板とがばねにより連結され、前記ばねが左右対称に設置され、前記第二固定板の中には磁石が固定的に設置され、前記第二固定板の下端面には旋転モータが固定的に設置され、前記旋転モータの下端面には旋転軸が回転可能に設置され、前記旋転軸の下端面には洗浄板が固定的に設置され、前記洗浄板の中には紫外線消毒器が固定的に設置され、前記洗浄板の下端面には洗浄ブラシが固定的に設置され、前記洗浄ブラシが対称に百個設置され、前記旋転モータが起動すると、前記洗浄板が連動して回転し、前記洗浄ブラシが回転して医療器械を洗浄する。
【００１１】
洗浄需要のある医療器械が前記清掃空間の中に入った時、前記電磁石が停電し、磁極が変わり、前記電磁石が前記磁石と反発し、前記第二固定板が下方へ適当な位置まで移動する。
【００１２】
前記収集装置は前記作動空間の中に位置する収集箱を含み、前記収集箱の中には収集空間が設置され、前記収集空間が上方へ開口しており、前記収集空間の内壁にはスポンジパットが固定的に設置され、前記スポンジパットは乾燥後の医療器械が前記収集空間の中に入るときに衝突を起こすことを防止できる。
【００１３】
前記輸送ベルトは前記第二貫穴と、前記第一貫穴と前記矩形穴を通って前記消毒箱と前記作動箱と前記風乾箱とを貫通している。
【発明の効果】
【００１４】
本願発明の有益効果は：本願発明は使用後の医療器械を一つの洗浄装置で洗浄消毒乾燥を実現し、伝統的な洗浄方式と比べ、洗浄効率がより高い。本願発明は消毒液をスプレーして医療器械を洗浄し、漬け消毒の欠陥を補い、消毒後の医療器械をまた消毒、乾燥、風乾し、医療器械にある黴菌や雑物を最大程度で取り除き、次回の使用に準備を整える。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体構成図
【図２】図２は図１におけるＡ―Ａ方向の構成図
【図３】図３は図１におけるＢ―Ｂ方向の構成図
【図４】図４は図１におけるＣ―Ｃ方向の構成図
【発明を実施するための形態】
【００１７】
図１〜４の示したように、旋転送風機能を有する医療器械消毒乾燥設備であって、本体１０と前記本体１０の中に位置する作動空間１１とを含み、前記作動空間１１の中には収集装置６３が固定的に設置され、前記収集装置６３は乾燥消毒後の医療器械を収集でき、前記作動空間１１の中には器械入装置６０が設置され、前記作動空間１１の中には器械入穴１４が設置され、前記作動空間１１は前記器械入穴１４により外部と連通し、前記作動空間１１の中には伝送装置６４が設置され、前記伝送装置６４により乾燥消毒需要のある医療器械を前記作動空間１１の内部で移動させることができ、前記作動空間１１の中には消毒装置６１が設置され、前記消毒装置６１は消毒液を霧化してから医療器械にスプレーして消毒することができ、前記作動空間１１の中には洗浄装置６２が固定的に設置され、前記洗浄装置６２により医療器械を十分に洗浄でき、前記作動空間１１の中には作動箱２４が固定的に設置され、前記作動箱２４の中には清掃空間２５が設置され、前記作動箱２４には第一貫穴５１が設置され、前記第一貫穴５１は円形となり、前記作動空間１１の中には風乾箱３６が固定的に設置され、前記風乾箱３６の中には風乾空間７０が設置され、前記風乾箱３６には矩形穴４１が設置され、前記矩形穴４１が円形貫穴であり、前記風乾箱３６には通風穴３７が設置され、前記通風穴３７が環状となり、前記通風穴３７が上下対称に配置され、前記風乾空間７０の内部の頂壁には風乾モータ３８が固定的に設置され、前記風乾モータ３８には風乾回転軸３９が回転可能に設置され、前記風乾回転軸３９にはファン４０が固定的に設置され、前記ファン４０が円柱方向に沿って対称に四つ配列され、前記風乾モータ３８が起動すると、前記ファン４０が回転することで、医療器械に残留している消毒液を吹き乾くことや医療器械の表面にある付着物を吹き払うことができ、乾燥消毒後の医療器械は前記輸送ベルト１６により前記収集装置６３の中に送られる。
【００１８】
有益的には、前記器械入装置６０は前記作動空間１１の中に位置する輸送モータ５０を含み、前記輸送モータ５０には主動回転軸１５が回転可能に設置され、前記器械入装置６０の中には第一伝動軸１２が回転可能に設置され、前記第一伝動軸１２が前記作動空間１１の前後壁に回転可能に連結され、前記主動回転軸１５と前記第一伝動軸１２とが伝動ベルト１３により回転可能に連結されている。
【００１９】
有益的には、前記伝送装置６４は前記作動空間１１の中に位置する第二伝動軸４２を含み、前記第二伝動軸４２が前記作動空間１１の前後壁に回転可能に連結され、前記第二伝動軸４２と前記主動回転軸１５とが輸送ベルト１６により回転可能に連結され、前記輸送ベルト１６には乾燥機１７が固定され、前記乾燥機１７は前記輸送ベルト１６にある医療器械を乾燥できる。
【００２０】
有益的には、前記消毒装置６１は前記作動空間１１の中に位置する消毒箱１９を含み、前記消毒箱１９の中には消毒空間２０が設置され、前記消毒箱１９の中には第二貫穴１８が設置され、前記第二貫穴１８が円形となり、前記消毒空間２０の内部の頂壁には固定リンク２２が固定的に設置され、前記固定リンク２２には霧化器２３が固定的に設置され、前記霧化器２３の下端面にはノズル２１が固定的に設置され、前記ノズル２１が対称に百個設置され、前記霧化器２３は消毒液を霧化した後、前記ノズル２１により霧化後の消毒液を噴出させる。
【００２１】
有益的には、前記作動空間１１の中には消毒液箱４７が固定的に設置され、前記消毒液箱４７の中には消毒液空間４８が設置され、前記消毒液空間４８の中には消毒液が設置され、前記消毒液箱４７には補充穴４６が設置され、前記補充穴４６が上下貫通となり、前記補充穴４６と前記消毒液空間４８とが連通しており、前記補充穴４６により前記消毒液空間４８の中の消毒液を補充でき、前記消毒液空間４８と前記霧化器２３とが水ポンプ４９により連通され、前記水ポンプ４９は前記消毒液空間４８の中の消毒液を前記霧化器２３の中に汲み上げることができる。
【００２２】
有益的には、前記洗浄装置６２の中には前記作動空間１１の頂壁に位置する第一固定板２７が固定的に設置され、前記第一固定板２７の下端面には電磁石２９が固定的に設置され、前記洗浄装置６２の中には第二固定板３３が設置され、前記第二固定板３３と前記第一固定板２７とがばね２８により連結され、前記ばね２８が左右対称に設置され、前記第二固定板３３の中には磁石３０が固定的に設置され、前記第二固定板３３の下端面には旋転モータ３１が固定的に設置され、前記旋転モータ３１の下端面には旋転軸３２が回転可能に設置され、前記旋転軸３２の下端面には洗浄板３４が固定的に設置され、前記洗浄板３４の中には紫外線消毒器３５が固定的に設置され、前記洗浄板３４の下端面には洗浄ブラシ２６が固定的に設置され、前記洗浄ブラシ２６が対称に百個設置され、前記旋転モータ３１が起動すると、前記洗浄板３４が連動して回転し、前記洗浄ブラシ２６が回転して医療器械を洗浄する。
【００２３】
有益的には、洗浄需要のある医療器械が前記清掃空間２５の中に入った時、前記電磁石２９が停電し、磁極が変わり、前記電磁石２９が前記磁石３０と反発し、前記第二固定板３３が下方へ適当な位置まで移動する。
【００２４】
有益的には、前記収集装置６３は前記作動空間１１の中に位置する収集箱４５を含み、前記収集箱４５の中には収集空間４４が設置され、前記収集空間４４が上方へ開口しており、前記収集空間４４の内壁にはスポンジパット４３が固定的に設置され、前記スポンジパット４３は乾燥後の医療器械が前記収集空間４４の中に入るときに衝突を起こすことを防止できる。
【００２５】
有益的には、前記輸送ベルト１６は前記第二貫穴１８と、前記第一貫穴５１と前記矩形穴４１を通って前記消毒箱１９と前記作動箱２４と前記風乾箱３６とを貫通している。
【００２６】
装置全体の機械動作の順序：
初期状態の時：電磁石２９が通電しており、且つ磁石３０と吸引し合う。
（１）洗浄需要の医療器械を器械入穴１４から作動空間１１の中に入れる。
（２）輸送モータ５０が起動して主動回転軸１５の回転を連動させ、主動回転軸１５が回転して伝動ベルト１３により第一伝動軸１２を回転連動させ、伝動ベルト１３が作動空間１１の中の医療器械を伝送装置６４に送る。
（３）主動回転軸１５が回転して第二伝動軸４２により輸送ベルト１６を回転連動させ、輸送ベルト１６が回転して医療器械を作動空間１１の中で移動させる。
（４）水ポンプ４９が起動して消毒液空間４８の中の消毒液を霧化器２３の中に組み上げ、霧化器２３が起動して消毒液を霧化させてノズル２１から噴出させ、医療器械を消毒する。
（５）医療器械が清掃空間２５の中に送られた時、輸送モータ５０が停止し、電磁石２９が通電し、電磁石２９の磁極が変わり、第二固定板３３が適当な位置まで移動する。
（６）旋転モータ３１が起動して旋転軸３２を回転連動させ、旋転軸３２が回転して洗浄板３４を回転連動させ、洗浄板３４が回転して洗浄ブラシ２６を回転させ、清掃空間２５の中の医療器械を洗浄し、紫外線消毒器３５が起動して清掃空間２５の中の医療器械を紫外線で消毒する。
（７）輸送モータ５０が起動して輸送ベルト１６にある医療器械を作動空間１１の中で移動させ、乾燥機１７が起動して輸送ベルト１６にある医療器械を乾燥する。
（８）医療器械が風乾空間７０の中に入った時、風乾モータ３８が起動して風乾回転軸３９を回転連動させ、風乾回転軸３９が回転してファン４０を回転させ、医療器械に残留している消毒液と雑物を除く。
（９）消毒後の医療器械が収集空間４４の中に送られ収集される。
【００２７】
上記方式により、本分野の当業者は本願発明の範囲内に作動パターンにより各種な変化を実行できる。
【要約】
【課題】本発明は旋転送風機能を有する医療器械消毒乾燥設備を開示した。
【解決手段】本体と前記本体の中に位置する作動空間とを含み、前記作動空間の中には収集装置が固定的に設置され、前記収集装置は乾燥消毒後の医療器械を収集でき、前記作動空間の中には器械入装置が設置され、前記作動空間の中には器械入穴が設置され、前記作動空間は前記器械入穴により外部と連通し、前記作動空間の中には伝送装置が設置され、前記伝送装置により乾燥消毒需要のある医療器械を前記作動空間の内部で移動させることができ、前記作動空間の中には消毒装置が設置され、前記消毒装置は消毒液を霧化してから医療器械にスプレーして消毒することができ、前記作動空間の中には洗浄装置が固定的に設置され、前記洗浄装置により医療器械を十分に洗浄でき、前記作動空間の中には清掃箱が固定的に設置される。
【選択図】図１【図１】
0006802430.tif 000002
【図２】
0006802430.tif 000003
【図３】
0006802430.tif 000004
【図４】
0006802430.tif 000005